(57)【要約】【課題】  光ピックアップの設計の容易化及び移動効率の向上等を図る。【解決手段】  移動ベース７に固定された固定ブロック１０と、該固定ブロックに対してフォーカシング方向及びトラッキング方向へ動作されると共に記録トラックの略接線方向に離隔して配置された第１の対物レンズ１６と第２の対物レンズ１７を保持する可動ブロック１１とを設け、第２の対物レンズのレンズ中心Ｓ２がディスク状記録媒体１００の中心を通り半径方向に延びる線分Ｌｒ上に位置され、第２の対物レンズのレンズ中心が最内周に存在する記録トラックＴｉに対応して位置されたときに、第１の対物レンズのレンズ中心Ｓ１が最内周に存在する記録トラック又は該記録トラックより外側に対応して位置され、第２の対物レンズのレンズ中心が最外周に存在する記録トラックＴｏに対応して位置されたときに、第１の対物レンズのレンズ中心が最外周に存在する記録トラック又は該記録トラックより内側に対応して位置されるようにした。【選択図】図５
2006079781.tif 000002
【特許請求の範囲】
【請求項１】
ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して少なくとも２種類の波長のレーザー光を照射する光ピックアップであって、
上記対物レンズ駆動装置は、
上記移動ベースに固定された固定ブロックと、
該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの略接線方向に離隔して配置された第１の対物レンズと第２の対物レンズを保持する可動ブロックとを備え、
上記第２の対物レンズのレンズ中心がディスクテーブルに装着されたディスク状記録媒体の中心を通りディスク状記録媒体の半径方向に延びる線分上に位置され、
移動ベースがディスク状記録媒体の内周側に移動され第２の対物レンズのレンズ中心がディスク状記録媒体の最内周に存在する記録トラックに対応して位置されたときに、第１の対物レンズのレンズ中心がディスク状記録媒体の最内周に存在する記録トラック又は該記録トラックより外側に対応して位置され、
移動ベースがディスク状記録媒体の外周側に移動され第２の対物レンズのレンズ中心がディスク状記録媒体の最外周に存在する記録トラックに対応して位置されたときに、第１の対物レンズのレンズ中心がディスク状記録媒体の最外周に存在する記録トラック又は該記録トラックより内側に対応して位置されるようにした
ことを特徴とする光ピックアップ。
【請求項２】
上記第１の対物レンズのレンズ中心がディスク状記録媒体の最内周に存在する記録トラックに対応して位置されたときに、第２の対物レンズのレンズ中心がディスク状記録媒体の最内周に存在する記録トラックに対応して位置されるようにし、
第１の対物レンズのレンズ中心と第２の対物レンズのレンズ中心とがともにディスク状記録媒体の最内周に存在する記録トラックに対応して位置された状態を移動ベースの内周側における移動端に設定した
ことを特徴とする請求項１に記載の光ピックアップ。
【請求項３】
上記第１の対物レンズのレンズ中心がディスク状記録媒体の最外周に存在する記録トラックに対応して位置されたときに、第２の対物レンズのレンズ中心がディスク状記録媒体の最外周に存在する記録トラックに対応して位置されるようにし、
第１の対物レンズのレンズ中心と第２の対物レンズのレンズ中心とがともにディスク状記録媒体の最外周に存在する記録トラックに対応して位置された状態を移動ベースの外周側における移動端に設定した
ことを特徴とする請求項１に記載の光ピックアップ。
【請求項４】
ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して少なくとも２種類の波長のレーザー光を照射するように構成されたディスクドライブ装置であって、
上記対物レンズ駆動装置は、
上記移動ベースに固定された固定ブロックと、
該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの略接線方向に離隔して配置された第１の対物レンズと第２の対物レンズを保持する可動ブロックとを備え、
上記第２の対物レンズのレンズ中心がディスクテーブルに装着されたディスク状記録媒体の中心を通りディスク状記録媒体の半径方向に延びる線分上に位置され、
移動ベースがディスク状記録媒体の内周側に移動され第２の対物レンズのレンズ中心がディスク状記録媒体の最内周に存在する記録トラックに対応して位置されたときに、第１の対物レンズのレンズ中心がディスク状記録媒体の最内周に存在する記録トラック又は該記録トラックより外側に対応して位置され、
移動ベースがディスク状記録媒体の外周側に移動され第２の対物レンズのレンズ中心がディスク状記録媒体の最外周に存在する記録トラックに対応して位置されたときに、第１の対物レンズのレンズ中心がディスク状記録媒体の最外周に存在する記録トラック又は該記録トラックより内側に対応して位置されるようにした
ことを特徴とするディスクドライブ装置。
【請求項５】
上記第１の対物レンズのレンズ中心がディスク状記録媒体の最内周に存在する記録トラックに対応して位置されたときに、第２の対物レンズのレンズ中心がディスク状記録媒体の最内周に存在する記録トラックに対応して位置されるようにし、
第１の対物レンズのレンズ中心と第２の対物レンズのレンズ中心とがともにディスク状記録媒体の最内周に存在する記録トラックに対応して位置された状態を移動ベースの内周側における移動端に設定した
ことを特徴とする請求項４に記載のディスクドライブ装置。
【請求項６】
上記第１の対物レンズのレンズ中心がディスク状記録媒体の最外周に存在する記録トラックに対応して位置されたときに、第２の対物レンズのレンズ中心がディスク状記録媒体の最外周に存在する記録トラックに対応して位置されるようにし、
第１の対物レンズのレンズ中心と第２の対物レンズのレンズ中心とがともにディスク状記録媒体の最外周に存在する記録トラックに対応して位置された状態を移動ベースの外周側における移動端に設定した
ことを特徴とする請求項４に記載のディスクドライブ装置。
【発明の詳細な説明】
【技術分野】
【０００１】
本発明は光ピックアップ及びディスクドライブ装置に関する。詳しくは、２つの対物レンズを保持する対物レンズ駆動装置を有する光ピックアップ及びこれを備えたディスクドライブ装置についての技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置によって、その可動ブロックに保持された対物レンズをディスク状記録媒体の記録面に離接する方向であるフォーカシング方向へ動作させてフォーカシング調整を行うと共に対物レンズをディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光及び追従されるようにしている。
【０００４】
一方、ディスク状記録媒体は、近年、記録密度やカバー厚み等の相違により種々のタイプが開発されており、このようなディスク状記録媒体として、例えば、レーザー光の使用波長が７８０ｎｍ付近であるコンパクトディスク（ＣＤ：Compact Disc）、使用波長が６６０ｎｍ付近であるデジタルバーサタイルディスク（ＤＶＤ：Digital Versatile Disc）、使用波長が４０５ｎｍ付近であるブルーレイディスク（ＢＤ：Blu-ray Disc）等が存在する。
【０００５】
このようなレーザー光の使用波長の異なる複数の種類のディスク状記録媒体に対して情報信号の記録や再生を行う光ピックアップとして、これらの複数のディスク状記録媒体に対応した２つの対物レンズを備えたものがある（例えば、特許文献１参照）。
【０００６】
特許文献１に記載された光ピックアップにあっては、波長の異なるレーザー光を２つの対物レンズによってそれぞれのディスク状記録媒体の記録面に集光させ、各ディスク状記録媒体に対する情報信号の記録や再生が行われる。
【０００７】
２つの対物レンズは、一方の対物レンズのレンズ中心がディスク状記録媒体の中心を通り半径方向に延びる線分に対応して位置されており、各レンズ中心が、ディスク状記録媒体の半径方向、即ち、光ピックアップの移動方向に直交する方向である記録トラックの接線方向に離隔して可動ブロックに配置されている。
【０００８】
【特許文献１】特開平９―３５３０４号公報
【発明の開示】
【発明が解決しようとする課題】
【０００９】
ところで、光ピックアップは、ディスク状記録媒体の半径方向へ移動され、このとき対物レンズによって集光されたレーザー光のスポットが最内周にある記録トラックから最外周にある記録トラックまで追従される。
【００１０】
ところが、上記のような２つの対物レンズの各レンズ中心がディスク状記録媒体の記録トラックの接線方向に離隔して配置されている対物レンズ駆動装置において、図１０に示すように、ディスク状記録媒体の中心Ｐを通り半径方向に延びる線分Ｌ上に位置する一方の対物レンズａを最内周にある記録トラックＴｉから最外周にある記録トラックＴｏまで移動されるように設定すると、光ピックアップがディスク状記録媒体の外周側へ移動されたときには他方の対物レンズｂのレンズ中心Ｓは記録トラックＴｏの外側まで移動されるため、光ピックアップの移動中に双方の対物レンズａ、ｂの各レンズ中心が記録トラックＴｏに対応して位置されるが、他方の対物レンズｂのレンズ中心Ｓからディスク状記録媒体の半径方向における記録トラックＴｏまでの距離Ｈｏは、他方の対物レンズｂにとっては不必要な移動量となる。
【００１１】
一方、光ピックアップがディスク状記録媒体の内周側へ移動されたときには他方の対物レンズｂのレンズ中心Ｓは記録トラックＴｉの外側までしか移動されないため、他方の対物レンズｂのレンズ中心Ｓは記録トラックＴｉに対応して位置されない。従って、他方の対物レンズｂのレンズ中心Ｓが記録トラックＴｉに対応して位置されるまで図１０に示す距離Ｈｉ分だけ光ピックアップをディスク状記録媒体の内周側に移動させる必要があるが、このとき一方の対物レンズａにとっては距離Ｈｉは不必要な移動量となる。また、距離Ｈｉは、記録トラックＴｏより記録トラックＴｉの曲率が大きいため、上記した距離Ｈｏより大きなものとなる。
【００１２】
このように一方の対物レンズａを最内周にある記録トラックＴｉから最外周にある記録トラックＴｏまで移動されるように設定すると、距離Ｈｏと距離Ｈｉの合計の距離分だけ何れかの対物レンズａ、ｂにおいて不必要な移動量が生じてしまう。特に、距離Ｈｉは、記録トラックＴｏと記録トラックＴｉの曲率の相違により大きなものとなるため、他方の対物レンズｂによって記録トラックＴｉに記録された情報を読み取る位置を光ピックアップの移動方向における内側の移動端に設定したときには、この移動端がディスクテーブルを回転させるスピンドルモーター側に近付いてしまい、光ピックアップの移動ベースとスピンドルモーターとの接触を回避するために、移動ベース又はスピンドルモーターの一部を凹ます等の手段が必要となり、ディスクドライブ装置の設計が困難となり製造コストの高騰を来たすという問題が生じてしまう。
【００１３】
また、距離Ｈｏと距離Ｈｉの合計の距離分の不必要な移動量が生じる分、光ピックアップの移動に関して非効率的であるという問題もある。
【００１４】
逆に、他方の対物レンズｂを最内周にある記録トラックＴｉから最外周にある記録トラックＴｏまで移動されるように設定した場合においても、やはり距離Ｈｏと距離Ｈｉの合計の距離分だけ何れかの対物レンズａ、ｂにおいて不必要な移動量が生じてしまう。
【００１５】
そこで、本発明光ピックアップ及びディスクドライブ装置は、上記した問題点を克服し、光ピックアップの設計の容易化及び移動効率の向上等を図ることを課題とする。
【課題を解決するための手段】
【００１６】
本発明光ピックアップ及びディスクドライブ装置は、上記した課題を解決するために、対物レンズ駆動装置に、移動ベースに固定された固定ブロックと、該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの略接線方向に離隔して配置された第１の対物レンズと第２の対物レンズを保持する可動ブロックとを設け、上記第２の対物レンズのレンズ中心がディスクテーブルに装着されたディスク状記録媒体の中心を通りディスク状記録媒体の半径方向に延びる線分上に位置され、移動ベースがディスク状記録媒体の内周側に移動され第２の対物レンズのレンズ中心がディスク状記録媒体の最内周に存在する記録トラックに対応して位置されたときに、第１の対物レンズのレンズ中心がディスク状記録媒体の最内周に存在する記録トラック又は該記録トラックより外側に対応して位置され、移動ベースがディスク状記録媒体の外周側に移動され第２の対物レンズのレンズ中心がディスク状記録媒体の最外周に存在する記録トラックに対応して位置されたときに、第１の対物レンズのレンズ中心がディスク状記録媒体の最外周に存在する記録トラック又は該記録トラックより内側に対応して位置されるようにしたものである。
【００１７】
従って、本発明光ピックアップ及びディスクドライブ装置にあっては、光ピックアップの移動量が最小化される。
【発明の効果】
【００１８】
本発明光ピックアップは、ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して少なくとも２種類の波長のレーザー光を照射する光ピックアップであって、上記対物レンズ駆動装置は、上記移動ベースに固定された固定ブロックと、該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの略接線方向に離隔して配置された第１の対物レンズと第２の対物レンズを保持する可動ブロックとを備え、上記第２の対物レンズのレンズ中心がディスクテーブルに装着されたディスク状記録媒体の中心を通りディスク状記録媒体の半径方向に延びる線分上に位置され、移動ベースがディスク状記録媒体の内周側に移動され第２の対物レンズのレンズ中心がディスク状記録媒体の最内周に存在する記録トラックに対応して位置されたときに、第１の対物レンズのレンズ中心がディスク状記録媒体の最内周に存在する記録トラック又は該記録トラックより外側に対応して位置され、移動ベースがディスク状記録媒体の外周側に移動され第２の対物レンズのレンズ中心がディスク状記録媒体の最外周に存在する記録トラックに対応して位置されたときに、第１の対物レンズのレンズ中心がディスク状記録媒体の最外周に存在する記録トラック又は該記録トラックより内側に対応して位置されるようにしたことを特徴とする。
【００１９】
従って、第２の対物レンズのレンズ中心がディスク状記録媒体の最内周に存在する記録トラックから最外周にある記録トラックまでの間に位置されているときには、第１の対物レンズのレンズ中心は、常に、最内周に存在する記録トラックから最外周に存在する記録トラックまでの範囲に存在するため、第１の対物レンズ及び第２の対物レンズによって集光されたレーザー光のスポットを最内周にある記録トラックから最外周にある記録トラックまで追従させるときの光ピックアップの移動量の最小化が図られ、光ピックアップの移動効率の向上を図ることができる。
【００２０】
請求項２に記載した発明にあっては、第１の対物レンズのレンズ中心がディスク状記録媒体の最内周に存在する記録トラックに対応して位置されたときに、第２の対物レンズのレンズ中心がディスク状記録媒体の最内周に存在する記録トラックに対応して位置されるようにし、第１の対物レンズのレンズ中心と第２の対物レンズのレンズ中心とがともにディスク状記録媒体の最内周に存在する記録トラックに対応して位置された状態を移動ベースの内周側における移動端に設定したので、光ピックアップの内周側への移動量を最小化することができ、その分、光ピックアップの移動ベースとスピンドルモーターとの接触を回避するために移動ベース又はスピンドルモーターの一部を凹ます等の手段が必要とならず、光ピックアップの設計の容易化を図ることができると共にスピンドルモーターの大型化を図ることにより回転駆動力（トルク）の向上を図ることができる。
【００２１】
請求項３に記載した発明にあっては、第１の対物レンズのレンズ中心がディスク状記録媒体の最外周に存在する記録トラックに対応して位置されたときに、第２の対物レンズのレンズ中心がディスク状記録媒体の最外周に存在する記録トラックに対応して位置されるようにし、第１の対物レンズのレンズ中心と第２の対物レンズのレンズ中心とがともにディスク状記録媒体の最外周に存在する記録トラックに対応して位置された状態を移動ベースの外周側における移動端に設定したので、光ピックアップの外周側への移動量を最小化することができ、その分、移動ベースの外側の部分を大きくすることが可能となり、移動ベースの外側の部分に配置されることが多い各光学部品の配置スペースを拡大することができる。
【００２２】
本発明ディスクドライブ装置は、ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して少なくとも２種類の波長のレーザー光を照射するように構成されたディスクドライブ装置であって、上記対物レンズ駆動装置は、上記移動ベースに固定された固定ブロックと、該固定ブロックに対してディスク状記録媒体の記録面に離接する方向であるフォーカシング方向及びディスク状記録媒体の略半径方向であるトラッキング方向へ動作されると共にフォーカシング方向及びトラッキング方向にともに直交する記録トラックの略接線方向に離隔して配置された第１の対物レンズと第２の対物レンズを保持する可動ブロックとを備え、上記第２の対物レンズのレンズ中心がディスクテーブルに装着されたディスク状記録媒体の中心を通りディスク状記録媒体の半径方向に延びる線分上に位置され、移動ベースがディスク状記録媒体の内周側に移動され第２の対物レンズのレンズ中心がディスク状記録媒体の最内周に存在する記録トラックに対応して位置されたときに、第１の対物レンズのレンズ中心がディスク状記録媒体の最内周に存在する記録トラック又は該記録トラックより外側に対応して位置され、移動ベースがディスク状記録媒体の外周側に移動され第２の対物レンズのレンズ中心がディスク状記録媒体の最外周に存在する記録トラックに対応して位置されたときに、第１の対物レンズのレンズ中心がディスク状記録媒体の最外周に存在する記録トラック又は該記録トラックより内側に対応して位置されるようにしたことを特徴とする。
【００２３】
従って、第２の対物レンズのレンズ中心がディスク状記録媒体の最内周に存在する記録トラックから最外周にある記録トラックまでの間に位置されているときには、第１の対物レンズのレンズ中心は、常に、最内周に存在する記録トラックから最外周に存在する記録トラックまでの範囲に存在するため、第１の対物レンズ及び第２の対物レンズによって集光されたレーザー光のスポットを最内周にある記録トラックから最外周にある記録トラックまで追従させるときの光ピックアップの移動量の最小化が図られ、光ピックアップの移動効率の向上を図ることができる。
【００２４】
請求項５に記載した発明にあっては、第１の対物レンズのレンズ中心がディスク状記録媒体の最内周に存在する記録トラックに対応して位置されたときに、第２の対物レンズのレンズ中心がディスク状記録媒体の最内周に存在する記録トラックに対応して位置されるようにし、第１の対物レンズのレンズ中心と第２の対物レンズのレンズ中心とがともにディスク状記録媒体の最内周に存在する記録トラックに対応して位置された状態を移動ベースの内周側における移動端に設定したので、光ピックアップの内周側への移動量を最小化することができ、その分、光ピックアップの移動ベースとスピンドルモーターとの接触を回避するために移動ベース又はスピンドルモーターの一部を凹ます等の手段が必要とならず、ディスクドライブ装置の設計の容易化を図ることができると共にスピンドルモーターの大型化を図ることにより回転駆動力（トルク）の向上を図ることができる。
【００２５】
請求項６に記載した発明にあっては、第１の対物レンズのレンズ中心がディスク状記録媒体の最外周に存在する記録トラックに対応して位置されたときに、第２の対物レンズのレンズ中心がディスク状記録媒体の最外周に存在する記録トラックに対応して位置されるようにし、第１の対物レンズのレンズ中心と第２の対物レンズのレンズ中心とがともにディスク状記録媒体の最外周に存在する記録トラックに対応して位置された状態を移動ベースの外周側における移動端に設定したので、光ピックアップの外周側への移動量を最小化することができ、その分、移動ベースの外側の部分を大きくすることが可能となり、移動ベースの外側の部分に配置されることが多い各光学部品の配置スペースを拡大することができる。
【発明を実施するための最良の形態】
【００２６】
以下に、本発明光ピックアップ及びディスクドライブ装置の最良の形態を添付図面を参照して説明する。
【００２７】
ディスクドライブ装置１は、外筐２内に所要の各部材及び各機構が配置されて成り（図１参照）、外筐２には図示しないディスク挿入口が形成されている。
【００２８】
外筐２内には図示しないシャーシが配置され、該シャーシに取り付けられたスピンドルモーターのモーター軸にディスクテーブル３が固定されている。
【００２９】
シャーシには、平行なガイド軸４、４が取り付けられると共に図示しない送りモーターによって回転されるリードスクリュー５が支持されている。
【００３０】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００３１】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３２】
ディスク状記録媒体１００としては、デジタルバーサタイルディスク（ＤＶＤ）１００ａとコンパクトディスク（ＣＤ）１００ｂに加え、ブルーレイディスク（ＢＤ）１００ｃが用いられる。これらの各ディスク状記録媒体１００のレーザー光の使用波長は、ＤＶＤ１００ａが約６６０ｎｍ、ＣＤ１００ｂが約７８０ｎｍ、ＢＤ１００ｃが約４０５ｎｍである。
【００３３】
ディスク状記録媒体１００にあっては、一般に、画像、音楽、文字等の情報が書き込まれインフォーメーションエリアと称される第１の書込領域と、ディスク状記録媒体１００の種類や構成等の各種の媒体情報が書き込まれバーストカッティングエリアやトランジションエリア等と称される第２の書込領域とを有している。第２の書込領域は第１の書込領域の内側に形成され、ディスク状記録媒体１００の最内周側に存在する書込領域である。
【００３４】
ディスクドライブ装置１において記録動作又は再生動作が行われるときは、光ピックアップ６がディスク状記録媒体１００の内周側から外周側へ移動され、はじめに内周側に存在する第２の書込領域に記録された情報が読み出され、次に、第２の書込領域の外側に存在する第１の書込領域への情報の書込又は第１の書込領域に記録された情報の読取が行われる。
【００３５】
対物レンズ駆動装置８はベース部材９と固定ブロック１０と該固定ブロック１０に対して動作される可動ブロック１１とを有している（図２及び図３参照）。
【００３６】
ベース部材９は磁性金属材料によって形成され、移動ベース７上に固定されたベース部９ａと該ベース部９ａからそれぞれ直角に立ち曲げられたヨーク部９ｂ、９ｂとから成る。ヨーク部９ｂ、９ｂは前後方向、即ち、ディスク状記録媒体１００の記録トラックの接線方向（ＴＡＮ）に離隔して設けられている。
【００３７】
ヨーク部９ｂ、９ｂの互いに対向する面には、それぞれマグネット１２、１２が取り付けられている。
【００３８】
固定ブロック１０は移動ベース７に固定されている。固定ブロック１０の後面には図示しない回路基板の一端部が取り付けられ、該回路基板は図示しない電源回路に接続されている。
【００３９】
固定ブロック１０にはそれぞれ支持バネ１３、１３、・・・の各後端部が接続され、該支持バネ１３、１３、・・・は固定ブロック１０の後面に取り付けられた回路基板に接続されている。支持バネ１３、１３、・・・は固定ブロック１０から前方へ向けて突出されている。
【００４０】
可動ブロック１１は可動ホルダー１４と駆動コイル１５とを有している。
【００４１】
可動ホルダー１４はレンズ取付部１４ａと該レンズ取付部１４ａの後側に設けられたコイル保持部１４ｂとが一体に形成されて成る。
【００４２】
レンズ取付部１４ａには、前後に離隔して透過孔１４ｃ、１４ｄが形成され（図３参照）、該透過孔１４ｃ、１４ｄをそれぞれ上側から覆うようにして第１の対物レンズ１６と第２の対物レンズ１７が取り付けられている。
【００４３】
第１の対物レンズ１６は、約６６０ｎｍ及び約７８０ｎｍのレーザー光に対応した構成とされており、それぞれ開口数が０．５乃至０．６５程度とされ、ＤＶＤ１００ａ又はＣＤ１００ｂの記録面にレーザー光を集光する役割を果たす。
【００４４】
第２の対物レンズ１７は、約４０５ｎｍのレーザー光に対応した構成とされており、開口数が０．８５程度にされ、ＢＤ１００ｃの記録面にレーザー光を集光する役割を果たす。
【００４５】
第２の対物レンズ１７は第１の対物レンズ１６よりも固定ブロック１０側に配置されている。第２の対物レンズ１７は、図４に示すように、レンズ中心Ｓ２が、光ピックアップ６の移動方向、即ち、ディスク状記録媒体１００の半径方向に延びディスクテーブル３の回転中心（ディスク状記録媒体１００の中心Ｐ）を通る線分Ｌｒ上に対応して位置されている。
【００４６】
第１の対物レンズ１６は第２の対物レンズ１７を挟んで固定ブロック１０の反対側に配置されており、第１の対物レンズ１６のレンズ中心Ｓ１は第２の対物レンズ１７のレンズ中心Ｓ２を通りディスク状記録媒体１００の記録トラックの接線方向に延びる線分Ｌｔよりもディスクテーブル３側に位置されている（図４参照）。
【００４７】
可動ブロック１１のコイル保持部１４ｂは上下に貫通された略矩形の枠状に形成され、コイル保持部１４ｂの内側には駆動コイル１５が保持されている（図２及び図３参照）。
【００４８】
駆動コイル１５は、可動ブロック１１をフォーカシング方向へ動作させるためのフォーカシングコイル１８と、可動ブロック１１をトラッキング方向へ動作させるためのトラッキングコイル１９、１９とによって構成されている。フォーカシング方向はディスク状記録媒体１００に離接する方向（図３に示すＦ方向）、即ち、上下方向であり、トラッキング方向はディスク状記録媒体１００の半径方向（図２に示すＴ方向）、即ち、左右方向である。
【００４９】
フォーカシングコイル１８及びトラッキングコイル１９、１９はそれぞれ略角筒状に巻回されて形成され、フォーカシングコイル１８は巻軸方向が上下方向（フォーカシング方向）とされ、トラッキングコイル１９、１９は巻軸方向が前後方向（接線方向）とされている。トラッキングコイル１９、１９はフォーカシングコイル１８の前面に左右に離隔して設けられている。
【００５０】
フォーカシングコイル１８及びトラッキングコイル１９、１９の各一端部は、それぞれ可動ホルダー１４の両側面に設けられた接続端子部１４ｅ、１４ｅ、・・・に接続されている。接続端子部１４ｅ、１４ｅ、・・・にはそれぞれ支持バネ１３、１３、・・・の各前端部が接続されている。従って、可動ブロック１１は支持バネ１３、１３、・・・によって固定ブロック１０と連結されて中空に保持される。
【００５１】
支持バネ１３、１３、・・・には、電源回路から固定ブロック１０の後面に取り付けられた回路基板を介してフォーカシング調整用又はトラッキング調整用の駆動電流が供給される。従って、支持バネ１３、１３、・・・のうち各２本ずつが、それぞれフォーカシングコイル１８とトラッキングコイル１９、１９への給電部材として機能する。
【００５２】
トラッキングコイル１９、１９を挟んだ前後両側の位置には、それぞれヨーク部９ｂ、９ｂに取り付けられたマグネット１２、１２が配置される。
【００５３】
電源回路から回路基板及び支持バネ１３、１３、・・・を介してフォーカシングコイル１８又はトラッキングコイル１９、１９、・・・に駆動電流が供給されると、これらの駆動電流の向きとマグネット１２、１２及びヨーク部９ｂ、９ｂにより発生する磁束の方向とに応じて、可動ブロック１１がフォーカシング方向又はトラッキング方向へ移動される。
【００５４】
可動ブロック１１がフォーカシング方向又はトラッキング方向へ動作されるときには、支持バネ１３、１３、・・・が弾性変形される。
【００５５】
以下に、ディスク状記録媒体１００の記録トラックに対する第１の対物レンズ１６のレンズ中心Ｓ１と第２の対物レンズ１７のレンズ中心Ｓ２との位置関係について説明する（図５乃至図８参照）。
【００５６】
光ピックアップ６にあっては、図５に示すように、移動ベース７がディスク状記録媒体１００の内周側に移動され第２の対物レンズ１７のレンズ中心Ｓ２がディスク状記録媒体１００の最内周に存在する記録トラックＴｉに対応して位置されたときに、第１の対物レンズ１６のレンズ中心Ｓ１が記録トラックＴｉ又は該記録トラックＴｉより外側に対応して位置されるように第１の対物レンズ１６と第２の対物レンズ１７の可動ブロック１１に対する位置が設定されている。
【００５７】
また、図５に示すように、移動ベース７がディスク状記録媒体１００の外周側に移動され第２の対物レンズ１７のレンズ中心Ｓ２がディスク状記録媒体１００の最外周に存在する記録トラックＴｏに対応して位置されたときには、第１の対物レンズ１６のレンズ中心Ｓ１が記録トラックＴｏ又は該記録トラックＴｏより内側に対応して位置されるように第１の対物レンズ１６と第２の対物レンズ１７の可動ブロック１１に対する位置が設定されている。
【００５８】
即ち、移動ベース７がディスク状記録媒体１００の半径方向へ移動され第２の対物レンズ１７のレンズ中心Ｓ２がディスク状記録媒体１００の最内周に存在する記録トラックＴｉと最外周にある記録トラックＴｏに対応して位置されているときには、第１の対物レンズ１６のレンズ中心Ｓ１は、常に、記録トラックＴｉから記録トラックＴｏまでの範囲に存在するように設定されている。
【００５９】
このような設定としては、（１）第２の対物レンズ１７のレンズ中心Ｓ２が記録トラックＴｉに対応して位置されたときに第１の対物レンズ１６のレンズ中心Ｓ１が記録トラックＴｉより外側に対応して位置されると共に第２の対物レンズ１７のレンズ中心Ｓ２が記録トラックＴｏに対応して位置されたときに第１の対物レンズ１６のレンズ中心Ｓ１が記録トラックＴｏより内側に対応して位置される場合（図５参照）、（２）第２の対物レンズ１７のレンズ中心Ｓ２が記録トラックＴｉに対応して位置されたときに第１の対物レンズ１６のレンズ中心Ｓ１が記録トラックＴｉに対応して位置されると共に第２の対物レンズ１７のレンズ中心Ｓ２が記録トラックＴｏに対応して位置されたときに第１の対物レンズ１６のレンズ中心Ｓ１が記録トラックＴｏより内側に対応して位置される場合（図６参照）、（３）第２の対物レンズ１７のレンズ中心Ｓ２が記録トラックＴｏに対応して位置されたときに第１の対物レンズ１６のレンズ中心Ｓ１が記録トラックＴｏに対応して位置されると共に第２の対物レンズ１７のレンズ中心Ｓ２が記録トラックＴｉに対応して位置されたときに第１の対物レンズ１６のレンズ中心Ｓ１が記録トラックＴｉより外側に対応して位置される場合（図７参照）の３通りの場合が考えられる。
【００６０】
（１）の場合については、第２の対物レンズ１７のレンズ中心Ｓ２がディスク状記録媒体１００の最内周に存在する記録トラックＴｉに対応して位置された状態は移動ベース７の内周側の移動端にはならず、第１の対物レンズ１６のレンズ中心Ｓ１が記録トラックＴｉに対応して位置された状態が移動ベース７の内周側の移動端になる。また、第２の対物レンズ１７のレンズ中心Ｓ２がディスク状記録媒体１００の最外周に存在する記録トラックＴｏに対応して位置された状態は移動ベース７の外周側の移動端にはならず、第１の対物レンズ１６のレンズ中心Ｓ１が記録トラックＴｏに対応して位置された状態が移動ベース７の外周側の移動端になる。
【００６１】
（２）の場合については、第２の対物レンズ１７のレンズ中心Ｓ２及び第１の対物レンズ１６のレンズ中心Ｓ１がともにディスク状記録媒体１００の最内周に存在する記録トラックＴｉに対応して位置された状態が移動ベース７の内周側の移動端になり、第１の対物レンズ１６のレンズ中心Ｓ１がディスク状記録媒体１００の最外周に存在する記録トラックＴｏに対応して位置された状態が移動ベース７の外周側の移動端になる。
【００６２】
（３）の場合については、第１の対物レンズ１６のレンズ中心Ｓ１がディスク状記録媒体１００の最内周に存在する記録トラックＴｉに対応して位置された状態が移動ベース７の内周側の移動端になり、第２の対物レンズ１７のレンズ中心Ｓ２及び第１の対物レンズ１６のレンズ中心Ｓ１がともにディスク状記録媒体１００の最外周に存在する記録トラックＴｏに対応して位置された状態が移動ベース７の外周側の移動端になる。
【００６３】
光ピックアップ６は、図８に示すように、ＤＶＤ１００ａ及びＣＤ１００ｂ用の光学部品として、第１の発光素子２０、カップリングレンズ２１、第１の反射ミラー２２、第１の回折素子２３、第１のビームスプリッター２４、第１のコリメーターレンズ２５、第２のビームスプリッター２６、第３のビームスプリッター２７、第１の対物レンズ１６、シリンドリカルレンズ２８、ホログラム素子２９、第１の受光素子３０及び第１のモニター用受光素子３１を備えている。
【００６４】
ＢＤ１００ｃ用の光学部品としては、第２の発光素子３２、１／２波長板３３、第４のビームスプリッター３４、第２の回折素子３５、第５のビームスプリッター３６、第２の反射ミラー３７、第２のコリメーターレンズ３８、立ち上げミラー３９、第２の対物レンズ１７、マルチレンズ４０、第２の受光素子４１、第３のコリメーターレンズ４２及び第２のモニター用受光素子４３を備えている。
【００６５】
上記した各光学部品は、対物レンズ駆動装置８の内側、即ち、対物レンズ駆動装置８よりディスクテーブル３側の位置には配置されず、各光学部品のうち、多くの部品が対物レンズ駆動装置８の外側の位置に配置されている。
【００６６】
以上のように構成された光ピックアップ６において、第１の発光素子２０からＤＶＤ１００ａに対応する約６５０ｎｍの波長又はＣＤ１００ｂに対応する約７８０ｎｍの波長を有するレーザー光が発光されると、レーザー光はカップリングレンズ２１によって往路における光学倍率の変換が行われ、第１の反射ミラー２２で反射されて第１の回折素子２３によって回折されて主光束と副光束に分離される。分離されたレーザー光は第１のビームスプリッター２４を透過され、第１のコリメーターレンズ２５によって平行光束とされて第２のビームスプリッター２６に入射される。第２のビームスプリッター２６に入射されたレーザー光は、一部を除いて透過され、第３のビームスプリッター２７で反射されて立ち上げられ第１の対物レンズ１６によってＤＶＤ１００ａ又はＣＤ１００ｂの記録面に照射される。
【００６７】
ＤＶＤ１００ａ又はＣＤ１００ｂの記録面に照射されたレーザー光は、該記録面で反射されて戻り光として再び第１の対物レンズ１６、第３のビームスプリッター２７、第２のビームスプリッター２６及び第１のコリメーターレンズ２５を介して第１のビームスプリッター２４に入射される。レーザー光は第１のビームスプリッター２４で反射されてシリンドリカルレンズ２８によってビーム形状が整形され、ホログラム素子２９を介して第１の受光素子３０に入射される。第１の受光素子３０に戻り光が入射されると、ＲＦ信号等の各信号が検出されＤＶＤ１００ａ又はＣＤ１００ｂに対する情報信号の記録又は再生が行われる。
【００６８】
このとき第１の発光素子２０から発光され第２のビームスプリッター２６に入射されたレーザー光の一部は、第２のビームスプリッター２６で反射されて第１のモニター用受光素子３１で受光され、第１の発光素子２０から発光されるレーザー光の光強度が略一定となるように制御される。
【００６９】
一方、第２の発光素子３２からＢＤ１００ｃに対応する約４０５ｎｍの波長を有するレーザー光が発光されると、レーザー光は１／２波長板３３によって偏光面が回転されて一部を除いて第４のビームスプリッター３４で反射され、第２の回折素子３５によって回折されて主光束と副光束に分離される。分離されたレーザー光は第５のビームスプリッター３６で反射され、第２の反射ミラー３７で反射され第２のコリメーターレンズ３８によって平行光束とされて第２のビームスプリッター２６に入射される。第２のビームスプリッター２６に入射されたレーザー光は、反射されて第３のビームスプリッター２７を透過され、立ち上げミラー３９によって立ち上げられて第２の対物レンズ１７によってＢＤ１００ｃの記録面に照射される。
【００７０】
ＢＤ１００ｃの記録面に照射されたレーザー光は、該記録面で反射されて戻り光として再び第２の対物レンズ１７、立ち上げミラー３９及び第３のビームスプリッター２７を介して第５のビームスプリッター３６に入射される。レーザー光は第５のビームスプリッター３６を透過されてマルチレンズ４０によって復路における光学倍率の変換とビーム整形が行われ第２の受光素子４１に入射される。第２の受光素子４１に戻り光が入射されると、ＲＦ信号等の各信号が検出されＢＤ１００ｃに対する情報信号の記録又は再生が行われる。
【００７１】
このとき第２の発光素子３２から発光され第４のビームスプリッター３４に入射されたレーザー光の一部は、第４のビームスプリッター３４を透過されて第３のコリメーターレンズ４２を介して第２のモニター用受光素子４３で受光され、第２の発光素子３２から発光されるレーザー光の光強度が略一定となるように制御される。
【００７２】
上記した記録動作及び再生動作において、フォーカシングコイル１８に駆動電流が供給されると、上記したように、対物レンズ駆動装置８の可動ブロック１１が固定ブロック１０に対してフォーカシング方向へ動作され、第１の発光素子２０又は第２の発光素子３２から発光され第１の対物レンズ１６又は第２の対物レンズ１７を介して照射されるレーザー光のスポットがディスク状記録媒体１００の記録トラックに集光するようにフォーカシング調整が為される。
【００７３】
また、トラッキングコイル１９、１９に駆動電流が供給されると、上記したように、対物レンズ駆動装置８の可動ブロック１１が固定ブロック１０に対してトラッキング方向へ動作され、第１の発光素子２０又は第２の発光素子３２から発光され第１の対物レンズ１６又は第２の対物レンズ１７を介して照射されるレーザー光のスポットがディスク状記録媒体１００の記録トラックに追従するようにトラッキング調整が為される。
【００７４】
以上に記載した通り、光ピックアップ６にあっては、ディスク状記録媒体１００の中心Ｐを通りディスク状記録媒体１００の半径方向に延びる線分Ｌｒ上に位置された第２の対物レンズ１７のレンズ中心Ｓ２がディスク状記録媒体１００の最内周に存在する記録トラックＴｉに対応して位置されたときに、第１の対物レンズ１６のレンズ中心Ｓ１がディスク状記録媒体１００の最内周に存在する記録トラックＴｉ又は該記録トラックＴｉより外側に対応して位置され、第２の対物レンズ１７のレンズ中心Ｓ１がディスク状記録媒体１００の最外周に存在する記録トラックＴｏに対応して位置されたときに、第１の対物レンズ１６のレンズ中心Ｓ１がディスク状記録媒体１００の最外周に存在する記録トラックＴｏ又は該記録トラックＴｏより内側に対応して位置されるように第１の対物レンズ１６と第２の対物レンズ１７の可動ブロック１１に対する位置が設定されている。
【００７５】
従って、第２の対物レンズ１７のレンズ中心Ｓ２がディスク状記録媒体１００の最内周に存在する記録トラックＴｉから最外周にある記録トラックＴｏまでの間に位置されているときには、第１の対物レンズ１６のレンズ中心Ｓ１は、常に、記録トラックＴｉから記録トラックＴｏまでの範囲に存在するため、第１の対物レンズ１６及び第２の対物レンズ１７によって集光されたレーザー光のスポットを最内周にある記録トラックＴｉから最外周にある記録トラックＴｏまで追従させるときの光ピックアップ６の移動量の最小化が図られ、光ピックアップ６の移動効率の向上を図ることができる。
【００７６】
特に、図６に示すように、第１の対物レンズ１６のレンズ中心Ｓ１及び第２の対物レンズ１７のレンズ中心Ｓ２がともにディスク状記録媒体１００の最内周に存在する記録トラックＴｉに対応して位置された状態を光ピックアップ６の内周側の移動端に設定した場合には、光ピックアップ６の内周側への移動量を最小化することができ、その分、光ピックアップ６の移動ベース７とスピンドルモーターとの接触を回避するために移動ベース７又はスピンドルモーターの一部を凹ます等の手段が必要とならず、ディスクドライブ装置１の設計の容易化を図ることができると共にスピンドルモーターの大型化を図ることにより回転駆動力（トルク）の向上を図ることができる。
【００７７】
逆に、図７に示すように、第１の対物レンズ１６のレンズ中心Ｓ１及び第２の対物レンズ１７のレンズ中心Ｓ２がともにディスク状記録媒体１００の最外周に存在する記録トラックＴｏに対応して位置された状態を光ピックアップ６の外周側の移動端に設定した場合には、光ピックアップ６の外周側への移動量を最小化することができ、その分、移動ベース７の外側の部分を大きくすることが可能となり、上記のように対物レンズ駆動装置８の外側に配置されることが多い各光学部品の配置スペースを拡大することができる。
【００７８】
尚、上記には、可動ブロック１１の先端側にＤＶＤ１００ａ及びＣＤ１００ｂ用の第１の対物レンズ１６を配置し、可動ブロック１１の基端側、即ち、固定ブロック１０に近い側にＢＤ１００ｃ用の第２の対物レンズ１７を配置した例を示したが、逆に、可動ブロック１１の先端側にＢＤ１００ｃ用の第２の対物レンズ１７を配置し、可動ブロック１１の基端側、即ち、固定ブロック１０に近い側にＤＶＤ１００ａ及びＣＤ１００ｂ用の第１の対物レンズ１６を配置してもよい。
【００７９】
また、図９に示すように、可動ブロック１１の先端側に第１の対物レンズ１６又は第２の対物レンズ１７を配置して線分Ｌｒ上に位置させ、可動ブロック１１における固定ブロック１０側の位置に線分Ｌｔよりもレンズ中心がディスクテーブル３側に位置するように第２の対物レンズ１７又は第１の対物レンズ１６を配置してもよい。
【００８０】
尚、上記には、ＤＶＤ１００ａ、ＣＤ１００ｂ及びＢＤ１００ｃの３種類のディスク状記録媒体１００、１００、１００を取り扱うディスクドライブ装置１を例として示したが、ディスクドライブ装置としては、ＤＶＤ１００ａとＢＤ１００ｃの２種類のディスク状記録媒体１００、１００又はＣＤ１００ｂとＢＤ１００ｃの２種類のディスク状記録媒体１００、１００又はＤＶＤ１００ａとＣＤ１００ｂの２種類のディスク状記録媒体１００、１００を取り扱うものであってもよい。
【００８１】
尚、上記には、フォーカシング方向を上下方向、トラッキング方向を左右方向として説明したが、これらの方向は説明の便宜上、例として示したものであり、特にこれらの方向に限定されることはない。
【００８２】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８３】
【図１】図２乃至図９と共に本発明を実施するための最良の形態を示すものであり、本図はディスクドライブ装置の概略斜視図である。
【図２】対物レンズ駆動装置の概略拡大平面図である。
【図３】対物レンズ駆動装置の一部を示す拡大断面図である。
【図４】２つの対物レンズの位置関係を示す概念図である。
【図５】図６及び図７と共に第２の対物レンズのレンズ中心が最内周又は最外周に存在する記録トラックに対応して位置されたときの第１の対物レンズの位置を示すものであり、本図は第１の対物レンズのレンズ中心が最内周に存在する記録トラックより外側に対応して位置されると共に最外周に存在する記録トラックより内側に対応して位置される場合を示した概念図である。
【図６】第１の対物レンズのレンズ中心が最内周に存在する記録トラックに対応して位置されると共に最外周に存在する記録トラックより内側に対応して位置される場合を示した概念図である。
【図７】第１の対物レンズのレンズ中心が最外周に存在する記録トラックに対応して位置されると共に最内周に存在する記録トラックより外側に対応して位置される場合を示した概念図である。
【図８】光ピックアップの各光学部品の配置構成を示す拡大平面図である。
【図９】２つの対物レンズの位置が異なる対物レンズ駆動装置を示す拡大平面図である。
【図１０】従来の光ピックアップの問題点を説明するための概念図である。
【符号の説明】
【００８４】
１００…ディスク状記録媒体、１…ディスクドライブ装置、３…ディスクテーブル、６…光ピックアップ、７…移動ベース、８…対物レンズ駆動装置、１０…固定ブロック、１１…可動ブロック、１６…第１の対物レンズ、１７…第２の対物レンズ
【図１】
2006079781.tif 000003
【図２】
2006079781.tif 000004
【図３】
2006079781.tif 000005
【図４】
2006079781.tif 000006
【図５】
2006079781.tif 000007
【図６】
2006079781.tif 000008
【図７】
2006079781.tif 000009
【図８】
2006079781.tif 000010
【図９】
2006079781.tif 000011
【図１０】
2006079781.tif 000012